(57)【要約】【課題】  光ケーブル敷設時の作業性を向上させることができる光配線システムを提供する。【解決手段】  光配線システム１は、き線クロージャ２７を介して局側のき線ケーブル２と接続される支線ケーブル４と、配線クロージャ３７を介して支線ケーブル４と接続されると共に、引落しクロージャ４６を介して加入者側のドロップケーブル３と接続される準支線ケーブル５とを備えている。支線ケーブル４は、複数枚の多心要素ケーブル１６を集合させてなる集合ケーブル１７で形成されている。準支線ケーブル５は、複数枚の単心要素ケーブル２２を集合させてなる集合ケーブル２３で形成されている。【選択図】  図１
2008224990.tif 000002
【特許請求の範囲】
【請求項１】
局側光ケーブルと加入者側光ケーブルとの間を光配線する光配線システムであって、
前記局側光ケーブルと前記加入者側光ケーブルとを接続する接続用光ケーブルを備え、
前記接続用光ケーブルは、運用心数単位で構成された要素ケーブルを複数集合させてなる集合ケーブルで形成されていることを特徴とする光配線システム。
【請求項２】
前記接続用光ケーブルは、複数心の前記要素ケーブルを複数集合させてなる第１集合ケーブルと、前記第１集合ケーブルと接続され、単心の前記要素ケーブルを複数集合させてなる第２集合ケーブルとを有することを特徴とする請求項１記載の光配線システム。
【請求項３】
前記第１集合ケーブルにおける前記複数心の要素ケーブルと前記第２集合ケーブルにおける前記単心の要素ケーブルとを接続する中間クロージャと、
前記局側光ケーブルと前記第１集合ケーブルにおける前記複数心の要素ケーブルとを接続する局側クロージャと、
前記加入者側光ケーブルと前記第２集合ケーブルにおける前記単心の要素ケーブルとを接続する加入者側クロージャとを更に備えることを特徴とする請求項２記載の光配線システム。
【請求項４】
前記複数心の要素ケーブルは、前記中間クロージャ及び前記局側クロージャにそれぞれコネクタ接続され、
前記単心の要素ケーブルは、前記中間クロージャ及び前記加入者側クロージャにそれぞれコネクタ接続されることを特徴とする請求項３記載の光配線システム。
【発明の詳細な説明】
【技術分野】
【０００１】
本発明は、局と加入者との間で光配線を行う光配線システムに関するものである。
【背景技術】
【０００２】
局と加入者との間に構築される光配線システムとしては、例えば非特許文献１に記載されているように、局側から加入者側に向かって光ケーブルの心数を減らしていき、最終的に単心のドロップケーブルで加入者宅に引き落とすようにしたものが紹介されている。
【非特許文献１】ＮＴＴ技術ジャーナル２００６．１２、「光媒体網Ｒ＆Ｄの取り組み」、Ｐ４４〜Ｐ７１
【発明の開示】
【発明が解決しようとする課題】
【０００３】
ところで、上記のような光配線システムにおいては、光ケーブルを敷設する際に、光ケーブルの配線や接続等の作業を簡単化することにより、工事にかかるトータル費用を抑えることが強く望まれている。
【０００４】
本発明の目的は、光ケーブル敷設時の作業性を向上させることができる光配線システムを提供することである。
【課題を解決するための手段】
【０００５】
本発明は、局側光ケーブルと加入者側光ケーブルとの間を光配線する光配線システムであって、局側光ケーブルと加入者側光ケーブルとを接続する接続用光ケーブルを備え、接続用光ケーブルは、運用心数単位で構成された要素ケーブルを複数集合させてなる集合ケーブルで形成されていることを特徴とするものである。
【０００６】
例えば必要心数の光ファイバ心線を複数内蔵しケーブル外被で覆ってなる丸型の光ケーブルを接続する場合には、接続箇所でケーブル外被を除去し、光ファイバ心線を取り出す必要がある。この場合、ケーブル外被を除去する際に他の光ファイバ心線を損傷させないように、作業者は十分注意して作業を行う必要がある。従って、光ケーブルの接続にかなりの手間がかかってしまう。
【０００７】
本発明の光配線システムにおいては、運用心数単位で構成された要素ケーブルを複数集合させてなる集合ケーブルによって接続用光ケーブルを形成している。このような接続用光ケーブルを接続する際には、運用心数単位で構成された要素ケーブル毎に接続を行えば良い。これにより、接続用光ケーブルの接続が容易に行えるようになるので、光ケーブル接続時の作業性を向上させることができる。
【０００８】
好ましくは、接続用光ケーブルは、複数心の要素ケーブルを複数集合させてなる第１集合ケーブルと、第１集合ケーブルと接続され、単心の要素ケーブルを複数集合させてなる第２集合ケーブルとを有する。
【０００９】
第１集合ケーブルを接続する際には、単に運用心数単位で構成された複数心の要素ケーブル毎に接続を行えば良い。このため、例えば従来の丸型の光ケーブルと異なり、いちいちケーブル外被を除去して光ファイバ心線を取り出さなくて済む。また、第２集合ケーブルを接続する際には、単に運用心数単位で構成された単心の要素ケーブル毎に接続を行えば良いので、いちいち単心の光ファイバ心線毎に分離しなくて済む。これにより、光ケーブル接続時の作業性を確実に向上させることができる。
【００１０】
さらに、第２集合ケーブルを単心の加入者側光ケーブルに接続する場合には、単心の要素ケーブル毎に接続を行うことにより、第２集合ケーブルの任意箇所において単心の要素ケーブルと加入者側光ケーブルとを接続することができる。このため、複数の加入者の建物が離れている場合でも、各加入者の建物の比較的近くで単心の要素ケーブルと加入者側光ケーブルとを接続することで、第２集合ケーブルに沿って加入者側光ケーブルを必要以上に長く配線する必要が無くなる。これにより、光ケーブル配線時の作業性も向上させることができる。
【００１１】
このとき、好ましくは、第１集合ケーブルにおける複数心の要素ケーブルと第２集合ケーブルにおける単心の要素ケーブルとを接続する中間クロージャと、局側光ケーブルと第１集合ケーブルにおける複数心の要素ケーブルとを接続する局側クロージャと、加入者側光ケーブルと第２集合ケーブルにおける単心の要素ケーブルとを接続する加入者側クロージャとを更に備える。
【００１２】
例えば中間クロージャに複数心−単心変換機能を設けることにより、複数心の要素ケーブルと単心の要素ケーブルとの接続を簡単に行うことができる。また、例えば局側クロージャに光分岐機能を設けることにより、局側光ケーブルと接続される加入者側光ケーブルの数を増やして、システムの使用効率を高めることができる。さらに、加入者側クロージャは単心の加入者側光ケーブルと単心の要素ケーブルとを接続するだけであるため、加入者側クロージャの小型化を図ることができる。
【００１３】
複数心の要素ケーブルは、中間クロージャ及び局側クロージャにそれぞれコネクタ接続され、単心の要素ケーブルは、中間クロージャ及び加入者側クロージャにそれぞれコネクタ接続されることが好ましい。
【００１４】
この場合には、複数心の要素ケーブルと中間クロージャ及び局側クロージャとの接続、単心の要素ケーブルと中間クロージャ及び加入者側クロージャとの接続が容易に行えるようになるので、光ケーブル接続時の作業性を更に向上させることができる。
【発明の効果】
【００１５】
本発明によれば、光ケーブル敷設時の作業性を向上させることにより、工事費用の削減を図ることができる。
【発明を実施するための最良の形態】
【００１６】
以下、本発明に係る光配線システムの好適な実施形態について図面を参照して詳細に説明する。
【００１７】
図１は、本発明に係る光配線システムの一実施形態を示すシステム構成図である。同図において、本実施形態の光配線システム１は、局内の伝送装置から複数の加入者宅までを光ケーブルで光配線するシステムである。
【００１８】
光配線システム１は、地下から架空に導き出されたき線ケーブル２と、各加入者宅から延びるドロップケーブル３と、き線ケーブル２と接続される支線ケーブル４と、ドロップケーブル３及び支線ケーブル４と接続される準支線ケーブル５とを備えている。
【００１９】
き線ケーブル２は、図２に示すように、中心部に抗張力体６が設けられたスペーサ７を有し、このスペーサ７には、複数（ここでは５つ）の螺旋状の溝部（スロット）８が形成されている。各スロット８内には、複数枚（ここでは５枚）の４心光ファイバテープ心線（単に４心テープ心線という）９が配置されている。スペーサ７には、ポリエチレン（ＰＥ）等で形成された保護用のケーブル外被１０で覆われている。
【００２０】
ドロップケーブル３は、図３に示すように、支持線１１と、単心の光ファイバ心線１２と、この光ファイバ心線１２の両側に配置された１対の抗張力体１３とを有している。これらの支持線１１、光ファイバ心線１２及び各抗張力体１３は、ＰＥ等からなるシース１４で一括被覆されている。
【００２１】
支線ケーブル４は、図４に示すように、支持線１５の周囲に複数枚（ここでは８枚）の多心要素ケーブル１６を撚り合わせて集合させてなる集合ケーブル１７で形成されている。この集合ケーブル１７（支線ケーブル４）は、各多心要素ケーブル１６をケーブル外被で被覆せずに露出させた状態（剥き出し状態）となっている。
【００２２】
多心要素ケーブル１６は、４心テープ心線１８と、この４心テープ心線１８の両側に配置された１対の抗張力体１９とを有している。これらの４心テープ心線１８及び各抗張力体１９は、ＰＥ等からなるテープ状のシース２０で一括被覆されている。
【００２３】
準支線ケーブル５は、図５に示すように、支持線２１の周囲に複数枚（ここでは８枚）の単心要素ケーブル２２を撚り合わせて集合させてなる集合ケーブル２３で形成されている。この集合ケーブル２３（準支線ケーブル５）は、各単心要素ケーブル２２をケーブル外被で被覆せずに露出させた状態（剥き出し状態）となっている。
【００２４】
単心要素ケーブル２２は、単心の光ファイバ心線２４と、この光ファイバ心線２４の両側に配置された１対の抗張力体２５とを有している。これらの光ファイバ心線２４及び各抗張力体２５は、ＰＥ等からなるテープ状のシース２６で一括被覆されている。
【００２５】
き線ケーブル２と支線ケーブル４は、き線点においてき線クロージャ２７を介して接続されている。き線点とは、光ケーブルが地下から架空へ立ち上がるポイントのことである。
【００２６】
き線クロージャ２７は、図６に示すように、箱型のクロージャ本体２８と、このクロージャ本体２８に対して開閉可能な扉２９とを有している。クロージャ本体２８内には、複数の接続モジュール３０が立てられた状態（縦置き状態）で幅方向（左右方向）に沿って配列されている。具体的には、各接続モジュール３０は、クロージャ本体２８に設けられた前面引き出し式のモジュール収納ラック（図示せず）に前面側（扉２９側）から抜き差し自在に収納されている。接続モジュール３０がモジュール収納ラックに収納された状態では、例えばネジや挿抜ボード等の固定手段によって接続モジュール３０がモジュール収納ラックに固定される。
【００２７】
クロージャ本体２８の一端部には、き線ケーブル２から取り出された４心テープ心線９を導入するための導入口を有するケーブル導入部３１が設けられ、クロージャ本体２８の他端部には、支線ケーブル４を構成する集合ケーブル１７の各要素ケーブル１６を導入するための導入口を有するケーブル導入部３２が設けられている。クロージャ本体２８はプラスチック等で形成されているが、ケーブル導入部３１，３２は、シール性・防水性を確保すべくゴム等で形成されている。
【００２８】
各接続モジュール３０の一端面（前端面）には、４心ＭＴコネクタ３３と、複数（ここでは８つ）の４心ＭＴコネクタ３４とが取り付けられている。ＭＴコネクタ３３には、き線ケーブル２から取り出された４心テープ心線９がコネクタ接続される。各ＭＴコネクタ３４には、支線ケーブル４を構成する集合ケーブル１７の各多心要素ケーブル１６の一端がコネクタ接続される。
【００２９】
接続モジュール３０は、１つの光入力を複数（ここでは８つ）の出力に分岐させる光スプリッタ（光分岐器）３５を有している（図１参照）。光スプリッタ３５の入力部はＭＴコネクタ３３に接続され、光スプリッタ３５の各出力部はＭＴコネクタ３４にそれぞれ接続されている。このような光スプリッタ３５を設けることにより、き線ケーブル２と接続される加入者を増やすことができるので、光配線システムの使用効率を向上させることが可能となる。
【００３０】
なお、接続モジュール３０に上記の光スプリッタ３５を設けずに、入力数及び出力数が同じになるような直線接続機能を接続モジュール３０にもたせるようにしても良い。この場合には、ＭＴコネクタ３３及びＭＴコネクタ３４の数が同数となる。
【００３１】
クロージャ本体２８の背面には、図６に示すように、き線クロージャ２７を吊り線（図示せず）に保持するための２つの取付具３６が設けられている。取付具３６は、例えばＬ字状板と平板とで吊り線を挟み込んだ状態でネジ止めすることにより、き線クロージャ２７を吊り線に取り付けるものである。
【００３２】
支線ケーブル４と準支線ケーブル５は、配線点において配線クロージャ３７を介して接続されている。
【００３３】
配線クロージャ３７は、図７に示すように、箱型のクロージャ本体３８と、このクロージャ本体３８に対して開閉可能な扉３９とを有している。クロージャ本体３８及び扉３９の構造は、上述したき線クロージャ２７のクロージャ本体２８及び扉２９と全く同じである。クロージャ本体３８内には、複数の接続モジュール４０が縦置き状態で幅方向に配列されている。接続モジュール４０の収納構造は、上記のき線クロージャ２７と全く同じである。
【００３４】
クロージャ本体３８の一端部には、支線ケーブル４を構成する集合ケーブル１７の各多心要素ケーブル１６を導入するための導入口を有するケーブル導入部４１が設けられ、クロージャ本体３８の他端部には、準支線ケーブル５を構成する集合ケーブル２３の各単心要素ケーブル２２を導入するための導入口を有するケーブル導入部４２が設けられている。ケーブル導入部４１，４２は、ゴム等で形成されている。
【００３５】
接続モジュール４０の一端面（前端面）には、１つの４心ＭＴコネクタ４３と、複数（ここでは４つ）の単心コネクタ４４とが取り付けられている。４心ＭＴコネクタ４３には、支線ケーブル４を構成する集合ケーブル１７の各多心要素ケーブル１６の他端がコネクタ接続される。各単心コネクタ４４には、準支線ケーブル５を構成する集合ケーブル２３の単心要素ケーブル２２の一端が接続される。単心コネクタ４４としては、外被把持型のＳＣコネクタやＦＡＳコネクタ等が使用される。
【００３６】
接続モジュール４０は、４心を単心に変換するための心数変換機能を有している。これにより、多心要素ケーブル１６と単心要素ケーブル２２とを簡単に且つ確実に接続することができる。
【００３７】
クロージャ本体３８の背面には、配線クロージャ３７を吊り線（図示せず）に保持するための２つの取付具４５が設けられている。取付具４５の構造は、上記の取付具３６と全く同じである。
【００３８】
このような配線クロージャ３７を用いて支線ケーブル４と準支線ケーブル５とを接続する場合には、まず支線ケーブル４を構成する集合ケーブル１７において必要数の多心要素ケーブル１６をほぐして取り出し、切断する。次いで、その多心要素ケーブル１６における先端部のシース２０及びテープ心線１８の被覆を除去して、多心要素ケーブル１６にＭＴコネクタを取り付ける。そして、配線クロージャ３７の扉３９を開いた状態で、ＭＴコネクタ付きの多心要素ケーブル１６をケーブル導入部４１からクロージャ本体３８内に導入し、接続モジュール４０のＭＴコネクタ４３にコネクタ結合する。
【００３９】
一方、準支線ケーブル５を構成する集合ケーブル２３において必要数の単心要素ケーブル２２をほぐして取り出し、切断した後、その単心要素ケーブル２２の先端部に単心コネクタ４４と同じ種類の外被把持型の単心コネクタを取り付ける。そして、配線クロージャ３７の扉３９を開いた状態で、単心コネクタ付きの単心要素ケーブル２２をケーブル導入部４２からクロージャ本体３８内に導入し、接続モジュール４０の単心コネクタ４４にコネクタ結合する。これにより、支線ケーブル４と準支線ケーブル５とが接続モジュール４０を介して接続されることとなる。
【００４０】
準支線ケーブル５とドロップケーブル３は、分配点（引き落とし点）において引落しクロージャ４６を介して分岐接続されている。引落しクロージャ４６は、図５にも示すように、単に準支線ケーブル５を構成する集合ケーブル２３の単心要素ケーブル２２とドロップケーブル３とをコネクタ接続するコネクタスリーブと称されるものである。
【００４１】
引落しクロージャ４６は、図８に示すように、コネクタ収容部４７を有する略箱型のクロージャ本体４８と、このクロージャ本体４８に対して開閉可能な蓋４９とを有している。クロージャ本体４８のコネクタ収容部４７には、集合ケーブル２３の単心要素ケーブル２２の他端部に取り付けられた単心コネクタ５０とドロップケーブル３の先端部に取り付けられた単心コネクタ５１とがアダプタ５２を挟むように収容されている。
【００４２】
クロージャ本体４８の一端部には、単心要素ケーブル２２をクロージャ本体４８内に導入するためのケーブル導入部５３と、単心要素ケーブル２２を固定するケーブル固定部５４とが設けられている。ケーブル固定部５４は、単心要素ケーブル２２のシース２６を１対の刃部で挟持することで、単心要素ケーブル２２をクロージャ本体４８に固定する。
【００４３】
クロージャ本体４８の他端部には、ドロップケーブル３をクロージャ本体４８内に導入するためのケーブル導入部５５と、ドロップケーブル３を固定するケーブル固定部５６とが設けられている。ケーブル固定部５６は、ケーブル固定部５４と同様に、ドロップケーブル３のシース１４を１対の刃部で挟持することで、ドロップケーブル３をクロージャ本体４８に固定する。
【００４４】
また、クロージャ本体４８内には、ゴム等のシール材５７がコネクタ収容部４７の周囲を全体的に包囲するように配置されている。
【００４５】
引落しクロージャ４６は、図１に示すように、例えば準支線ケーブル５を構成する集合ケーブル２３と共にメッセンジャワイヤ５８で一束化された状態で、架空に保持される。
【００４６】
このような引落しクロージャ４６を用いて準支線ケーブル５とドロップケーブル３とを接続する場合には、準支線ケーブル５における加入者宅に比較的近い箇所で、準支線ケーブル５を構成する集合ケーブル２３から単心要素ケーブル２２をほぐして取り出し、切断する。次いで、引落しクロージャ４６の蓋４９を開いた状態で、ケーブル導入部５３から単心要素ケーブル２２をクロージャ本体４８内に導入し、その単心要素ケーブル２２の端部に単心コネクタ５０を取り付ける。また、ケーブル導入部５５からドロップケーブル３をクロージャ本体４８内に導入し、そのドロップケーブル３の端部に単心コネクタ５１を取り付ける。
【００４７】
そして、アダプタ５２を介して単心コネクタ５０，５１同士をコネクタ結合すると共に、単心要素ケーブル２２をケーブル固定部５４に固定し、ドロップケーブル３をケーブル固定部５６に固定した状態で、単心コネクタ５０，５１及びアダプタ５２をクロージャ本体４８のケーブル収容部４７に収容する。これにより、準支線ケーブル５とドロップケーブル３とが単心コネクタ５０，５１及びアダプタ５２を介して接続されることとなる。
【００４８】
このように引落しクロージャ４６は、単心コネクタ５０，５１及びアダプタ５２を用いて、１枚の単心要素ケーブル２２と１本のドロップケーブル３とを接続するだけのものである。従って、引落しクロージャ４６を十分に小型化することが可能となる。
【００４９】
ここで、比較例として、従来の光配線システムの一例を図９に示す。同図において、光配線システム１００は、き線ケーブル２と接続される支線ケーブル１０１と、支線ケーブル１０１及びドロップケーブル３と接続される準支線ケーブル１０２と、き線ケーブル２と支線ケーブル１０１とを接続するき線クロージャ１０３と、支線ケーブル１０１と準支線ケーブル１０２とを分岐接続する配線クロージャ１０４と、準支線ケーブル１０２とドロップケーブル３とを分岐接続する引落しクロージャ１０５とを備えている。支線ケーブル１０１は、図２に示すき線ケーブル２と同じ丸型構造を有している。
【００５０】
準支線ケーブル１０２は、図１０に示すように、複数本（ここでは８本）の単心の光ファイバ心線１０６と、これらの光ファイバ心線１０６の両側に配置された１対の抗張力体１０７とを備えている。光ファイバ心線１０６は、２段に配列されている。これらの光ファイバ心線１０６及び各抗張力体１０７は、シース１０８で一括被覆されている。
【００５１】
き線クロージャ１０３は、き線ケーブル２の４心テープ心線９と支線ケーブル１０１の４心テープ心線とをＭＴコネクタにより接続する。配線クロージャ１０４は、光スプリッタ１０９を有し、支線ケーブル１０１の４心テープ心線から中間分岐された１本の光ファイバと準支線ケーブル１０２の各光ファイバ心線１０６とを光スプリッタ１０９を介して単心コネクタにより接続する。引落しクロージャ１０５は、準支線ケーブル１０２から中間分岐された１本の光ファイバ心線１０６とドロップケーブル３とを単心コネクタにより接続する。
【００５２】
このような光配線システム１００において、配線クロージャ１０４を用いて支線ケーブル１０１と準支線ケーブル１０２とを接続する場合には、まず支線ケーブル１０１において中間分岐させる部分のケーブル外被を剥がし、スロット内から４心テープ心線を取り出す。そして、その４心テープ心線の先端部の被覆を除去して光ファイバを露出させて、切断した後、その光ファイバの端部に単心コネクタを取り付けて、当該光ファイバと光スプリッタ１０９の入力部とをコネクタ接続する。一方、準支線ケーブル１０２のシース１０８を除去して、８本の光ファイバ心線１０６を互いに分離させ、各光ファイバ心線１０６の端部に単心コネクタを取り付ける。そして、各光ファイバ心線１０６と光スプリッタ１０９の各出力部とをコネクタ接続する。
【００５３】
また、引落しクロージャ１０５を用いて準支線ケーブル１０２とドロップケーブル３とを接続する場合には、まず準支線ケーブル１０２において中間分岐させる部分のシース１０８を除去して、８本の光ファイバ心線１０６を互いに分離させて、切断した後、各光ファイバ心線１０６の端部に単心コネクタを取り付ける。一方、ドロップケーブル３の先端部に単心コネクタを取り付ける。そして、光ファイバ心線１０６とドロップケーブル３とをコネクタ接続する。
【００５４】
このように光配線システム１００では、支線ケーブル１０１と準支線ケーブル１０２とを接続する際に、支線ケーブル１０１のケーブル外被をいちいち剥がして、必要数のテープ心線を取り出す必要があるため、作業者にとっては非常に手間がかかるものとなる。このとき、光ケーブルやテープ心線の取り扱いに慣れていないと、他のテープ心線を傷つけることがあるため、作業者は十分注意して作業を行う必要がある。従って、ケーブル接続作業にかなりの時間がかかってしまう。
【００５５】
また、準支線ケーブル１０２とドロップケーブル３とを接続する際には、準支線ケーブル１０２のシース１０８を除去して、光ファイバ心線１０６を単心毎にばらす必要があるため、この場合にも手間がかかる。しかも、光ファイバの単心線の取り扱いは非常に難しく、かなりの熟練者でないと、光ファイバを破断させることがある。
【００５６】
さらに、地域によっては、複数の加入者宅は必ずしも密集しているとは限らず、加入者宅同士がかなり離れていることもある。この場合には、多数の加入者宅をカバー（集約）できる箇所に引落しクロージャ１０５を設置する必要があることから、ドロップケーブル３を必要な長さだけ支線ケーブル１０１や準支線ケーブル１０２に沿わせて併設する必要がある。このため、光ケーブルの配線に手間がかかり、やはり作業時間が長くなる。
【００５７】
これに対し本実施形態では、支線ケーブル４として、複数枚の多心要素ケーブル１６を撚り合わせて集合させてなる露出状態の集合ケーブル１７を用いるので、支線ケーブル４をき線クロージャ２７及び配線クロージャ３７に接続するときに、き線ケーブル２のような丸型ケーブルと異なり、いちいちケーブル外被を剥がす必要が無くなる。
【００５８】
また、準支線ケーブル５として、複数枚の単心要素ケーブル２２を撚り合わせて集合させてなる露出状態の集合ケーブル２３を用いると共に、準支線ケーブル５と配線クロージャ３７との接続を外被把持型の単心コネクタにより行うので、準支線ケーブル５のシース２６を除去して光ファイバ心線２４を露出させる必要が無い。このため、単心の光ファイバ心線２４を取り扱わなくて済む。
【００５９】
以上により、光ケーブルの接続が従来に比べて簡単に行えるようになるため、光ケーブルの接続作業に要する時間を短縮することができる。また、作業者によるテープ心線や光ファイバ心線の取り扱いが容易になるため、他のテープ心線や他の光ファイバ心線の損傷及び破断等を防止することができる。
【００６０】
さらに、準支線ケーブル５として集合ケーブル２３を用いると共に、準支線ケーブル５とドロップケーブル３との接続をコネクタスリーブである小型の引落しクロージャ４６により行うことにより、複数の加入者宅が密集していない場合でも、図１に示すように、各加入者宅に比較的近い任意の箇所で準支線ケーブル５とドロップケーブル３とを容易に接続することができる。従って、ドロップケーブル３を支線ケーブル４や準支線ケーブル５に沿うように併設する必要も無くなるため、光ケーブルの配線が簡単に行えるようになり、光ケーブルの配線作業に要する時間を短縮することもできる。
【００６１】
以上のように本実施形態によれば、架空において光ケーブルを配線・接続するときの作業性が向上するため、光ケーブルの敷設工事に係るトータルコストを削減することができる。
【００６２】
なお、本発明は、上記実施形態に限定されるものではない。例えば、上記実施形態では、支線ケーブル４の一端と準支線ケーブル５の一端とが配線クロージャ３７を介して接続されているが、図１０に示す比較例と同様に、支線ケーブル４と準支線ケーブル５とを配線クロージャ３７を介して分岐接続させても良い。そのような光配線システムを図１１に示す。
【００６３】
同図に示す光配線システム１では、架空ケーブル４を構成する集合ケーブル１７から取り出された１つの多心要素ケーブル１６が配線クロージャ３７を介して準支線ケーブル５と接続されている。その他の構成は、図１に示す光配線システム１と同様である。
【００６４】
また、上記実施形態では、支線ケーブル４として、４心テープ心線１８を有する多心要素ケーブル１６を複数撚り合わせてなる集合ケーブル１７を用いたが、集合ケーブル１７の各多心要素ケーブル１６の心数としては、特に４心には限られず、き線ケーブル２に内蔵されている多心テープ心線の心数に適宜合わせれば良い。
【００６５】
また、使用する集合ケーブルとしては、特に要素ケーブルを複数撚り合わせて集合させてなる露出状態のものには限られない。例えば複数の要素ケーブルを撚り合わせせずに平行に集合させてなる集合ケーブルや、集合状態の複数の要素ケーブルを保護部で覆い、この保護部に要素ケーブル取り出し用のスリット等を形成してなる集合ケーブル等を使用しても良い。
【００６６】
さらに、上記実施形態の光配線システム１は、支線ケーブル４及び準支線ケーブル５という２種類の接続用光ケーブルを用いて、多心テープ心線を内蔵した局側のき線ケーブル２と加入者側のドロップケーブル３とを接続するものであるが、特にそのような形態には限られない。要は、本発明は、局側光ケーブルと加入者側光ケーブルとを接続する接続用光ケーブルとして、運用心数単位で構成された要素ケーブルを複数集合させてなる集合ケーブルを用いるものであれば、適用可能である。
【図面の簡単な説明】
【００６７】
【図１】本発明に係る光配線システムの一実施形態を示すシステム構成図である。
【図２】図１に示すき線ケーブルの拡大断面図である。
【図３】図１に示すドロップケーブルの拡大断面図である。
【図４】図１に示す支線ケーブルの斜視図である。
【図５】図１に示す準支線ケーブルの斜視図である。
【図６】図１に示すき線クロージャの開いた状態の斜視図である。
【図７】図１に示す配線クロージャの開いた状態の斜視図である。
【図８】図１に示す引落しクロージャの開いた状態の斜視図である。
【図９】従来の光配線システムの一例を示すシステム構成図である。
【図１０】図９に示す準支線ケーブルの拡大断面図である。
【図１１】図１に示す光配線システムの変形例を示すシステム構成図である。
【符号の説明】
【００６８】
１…光配線システム、２…き線ケーブル（局側光ケーブル）、３…ドロップケーブル（加入者側光ケーブル）、４…支線ケーブル（接続用光ケーブル）、５…準支線ケーブル（接続用光ケーブル）、１６…多心要素ケーブル、１７…集合ケーブル（第１集合ケーブル）、２２…単心要素ケーブル、２３…集合ケーブル（第２集合ケーブル）、２７…き線クロージャ（局側クロージャ）、３４…ＭＴコネクタ、３７…配線クロージャ（中間クロージャ）、４３…ＭＴコネクタ、４４…単心コネクタ、４６…引落しクロージャ（加入者側クロージャ）、５０…単心コネクタ。
【図１】
2008224990.tif 000003
【図２】
2008224990.tif 000004
【図３】
2008224990.tif 000005
【図４】
2008224990.tif 000006
【図５】
2008224990.tif 000007
【図６】
2008224990.tif 000008
【図７】
2008224990.tif 000009
【図８】
2008224990.tif 000010
【図９】
2008224990.tif 000011
【図１０】
2008224990.tif 000012
【図１１】
2008224990.tif 000013